(57)【特許請求の範囲】
【請求項１】
化粧台又は洗面台に備えられたミラー部と、ミラー部を使用する使用者の顔画像情報を取得する顔画像情報取得手段と、取得した顔画像情報から使用者の顔の肌状態を分析する分析部と、分析部による分析結果を通知する分析結果通知手段とを備え、
顔画像情報取得手段は、人体検知センサによって使用者がミラー部から所定距離に位置したことを検知したときに使用者の顔を撮影する撮影手段からなることを特徴とする健康管理システム。
【請求項２】
分析結果通知手段をミラー部に備えたことを特徴とする請求項１記載の健康管理システム。
【請求項３】
分析部による分析結果を定量化判定する判定部と、判定部による判定結果を通知する判定結果通知手段とを備えたことを特徴とする請求項１又は２に記載の健康管理システム。
【請求項４】
顔画像情報取得手段で取得した顔画像情報を記憶する取得情報記憶部と、取得情報記憶部に記憶した顔画像情報を表示する顔画像表示手段と、判定部による判定結果が低評価な場合に、判定結果が高評価時のときの取得情報記憶部に記憶された顔画像情報を、顔画像表示手段に表示する制御部とを備えたことを特徴とする請求項３記載の健康管理システム。
【請求項５】
顔画像情報取得手段及び分析結果通知手段は化粧台又は洗面台に設けられ、分析部は顔画像情報取得手段及び分析結果通知手段にネットワークを介して接続されたセンターサーバに設けられたことを特徴とする請求項１乃至４のいずれか一項に記載の健康管理システム。
【発明の詳細な説明】
【技術分野】
【０００１】
本発明は、健康管理システムに関するものである。
【背景技術】
【０００２】
従来から、撮影者がカメラなどの撮影手段にて被験者の肌を撮影し、その撮影結果を分析して肌の荒れ具合等の生態情報を検出し、適宜の治療や注意喚起などを通じて被験者の美容や健康に役立てる試みが為されている（たとえば特許文献１参照）。しかしながら、被験者の特定部位を撮影する技術は撮影者の熟練に負うところが大きく、生態情報の誤差が発生し易いという問題があった。
【０００３】
また、このような健康管理システムは、美容整形外科等の専門の施設において普及するだけであって一般家庭においては普及しておらず、自身の外観を分析することで健康増進に資することができるという観念すら一般に浸透していないのが現状である。
【特許文献１】特開２００４−７３８０２号公報
【発明の開示】
【発明が解決しようとする課題】
【０００４】
本発明は上記の点に鑑みてなされたものであり、その目的とするところは、自然な動作で使用者の顔を確実に撮影できて誤差の少ない分析結果から健康増進を図ることのできる健康管理システムを提供することを課題とするものである。
【課題を解決するための手段】
【０００５】
上記課題を解決するために本発明に係る健康管理システムにあっては、化粧台又は洗面台２０に備えられたミラー部１と、ミラー部１を使用する使用者の顔画像情報を取得する顔画像情報取得手段２と、取得した顔画像情報から使用者の顔の肌状態を分析する分析部７と、分析部７による分析結果を通知する分析結果通知手段１３とを備え、顔画像情報取得手段２は、人体検知センサ３によって使用者がミラー部１から所定距離に位置したことを検知したときに使用者の顔を撮影する撮影手段２ａからなることを特徴とする。これによると、ミラー部１を覗き込むという使用者の自然な動作の際に、使用者の顔画像情報を顔画像情報取得手段２にて確実に取得することができるから、画像取得箇所にかかる誤差の少ない顔画像情報を得ることができ、この誤差の少ない顔画像情報に基づいて分析部７にて分析してその分析結果を分析結果通知手段１３で使用者に通知でき、信頼性の高い分析結果を基に健康増進を図ることができる。また、朝の外出の準備などで覗き込む化粧台又は洗面台２０に備わるミラー２１を、顔画像情報取得手段２で顔画像情報を取得するためのミラー部１としたことで、普段の生活習慣の中で定期的な健康チェックをできて健康増進を図ることができる。
【０００６】
また、分析結果通知手段１３をミラー部１に備えたことも好ましい。これによると、使用者はミラー部１を見るという動作において分析部７による分析結果の通知を受けることができて便利である。
【０００７】
また、分析部７による分析結果を定量化判定する判定部８と、判定部８による判定結果を通知する判定結果通知手段１４とを備えたことも好ましい。これによると、分析部７による分析結果を判定部８による定量化判定にて分かり易いかたちにして判定結果通知手段１４にて使用者に通知することができ、更なる健康増進を図ることができる。
【０００８】
また、顔画像情報取得手段２で取得した顔画像情報を記憶する取得情報記憶部１２と、取得情報記憶部１２に記憶した顔画像情報を表示する顔画像表示手段１５と、判定部８による判定結果が低評価な場合に、判定結果が高評価時のときの取得情報記憶部１２に記憶された顔画像情報を、顔画像表示手段１５に表示する制御部５とを備えたことも好ましい。これによると、判定部８による低評価な判定結果が判定結果通知手段１４にて使用者に通知されて使用者が意気阻喪した際に、制御部５によって、判定結果が高評価時のときの取得情報記憶部１２に記憶された顔画像情報を、顔画像表示手段１５に表示させることで、使用者を叱咤激励できて健康増進を図ることができる。
【０００９】
また、顔画像情報取得手段２及び分析結果通知手段１３は化粧台又は洗面台２０に設けられ、分析部７は顔画像情報取得手段２及び分析結果通知手段１３にネットワークを介して接続されたセンターサーバ１０１に設けることも好ましい。これによると、内装スペースが限られる洗面台２０に制御部５を配設しないで済むので洗面台２０の大型化を回避でき、またネットワーク上のセンターサーバ１０１に配置した制御部５は、制御プログラムの変更（制御回路基板の変更）などを一括して行うことができメンテナンスを容易にできる。
【発明の効果】
【００１０】
本発明にあっては、自然な動作で使用者の顔を確実に撮影できて誤差の少ない分析結果から使用者の健康増進を図ることができる、という利点を有する。
【発明を実施するための最良の形態】
【００１１】
以下、本発明を添付図面に示す実施形態に基いて説明する。
【００１２】
本発明の健康管理システムは、化粧台や洗面台２０に付設されて使用者の顔の外観を分析して健康増進を促すシステムであり、本実施形態では図２のように洗面台２０に設けてある。
【００１３】
具体的に、本例の健康管理システムは、図１，２のように、化粧台又は洗面台２０に備えられて使用者の顔を映すミラー部１と、ミラー部１の前に位置した使用者を検出する人体検知センサ３と、使用者の顔を照らす照明手段４と、ミラー部１を使用する使用者の顔画像情報を取得する顔画像情報取得手段２と、取得した顔画像情報から使用者の顔の肌状態を分析したり健康管理システムの動作制御を司る制御部５と分析結果等を使用者に通知する通知手段６とを備えている。
【００１４】
ミラー部１は、本例では洗面台２０に備わるミラー２１が構成しているが、健康管理システムを化粧台に設けた場合には化粧台に備わるミラー２１で構成することもできる。
【００１５】
人体検知センサ３は、ミラー部１の前方の所定位置に位置した使用者を検知するセンサであり、たとえば赤外線センサなどを好適に用いることができる。
【００１６】
照明手段４は、ミラー部１の前方の所定位置に位置する使用者の顔を照らす手段であり、本例では、照らした使用者の顔に陰影を極力作らないようにミラー部１の左右両側に設けられている。
【００１７】
顔画像情報取得手段２は、本例では使用者の顔を撮影する撮影手段２ａがこれを構成し、具体的には、使用者の顔を撮影するカメラやビデオカメラで構成される。本例の撮影手段２ａはミラー部１の略中央部に埋設されており、撮影手段２ａの前方を覆うミラー部１の部位はマジックミラーでこれを構成し、ミラー部１の前方に位置した使用者の顔を撮影可能にしてある。
【００１８】
ここで、撮影手段２ａは、人体検知センサ３により使用者がミラー部１に対して所定距離にある所定位置に位置したことを検知したときに、制御部５によって照明手段４の点灯と共にミラー部１を覗き込む使用者の顔を撮影する制御が行われる。撮影手段２ａによる撮影結果としての顔画像情報は後述の取得情報記憶部１２としての撮像記憶部１２ａに記憶することができる。なお、照明手段４は手動で点灯・消灯できるようにしてもよい。
【００１９】
制御部５には、顔画像情報取得手段２で取得した顔画像情報から使用者の顔の肌状態（肌外観）を分析する分析部７と、分析部７による分析結果を定量化判定する判定部８と、記憶部９を備えている。記憶部９には、分析部７による分析結果を記憶する分析記憶部１０、判定部８による判定結果を記憶する判定記憶部１１、撮影手段２ａによる撮影結果を記憶する撮像記憶部１２ａとが備えられている。
【００２０】
通知手段６には、分析部７による分析結果を通知する分析結果通知手段１３、判定部８による判定結果を通知する判定結果通知手段１４、撮像記憶部１２ａに記憶した顔画像情報を表示する顔画像表示手段１５としての撮像表示手段１５ａとが備えられている。なお、本例の場合、通知手段６はミラー部１に備えられており、具体的には、洗面台２０にミラー２１の一部を切り欠くなどして内装した液晶パネル等の表示部２２やスピーカ等の音声出力部（図示せず）にて兼用して構成させている。
【００２１】
ここで、分析部７で行う使用者の顔の肌状態（肌外観）の分析においては、本例では撮影手段２ａで撮影された撮像である顔画像の皮膚情報を分析する方法が採用されている。
【００２２】
すなわち、皮膚色の主な構成要素は皮膚表皮に存在する黒褐色のメラニン色素と真皮層の血管中に存在する赤色のヘモグロビン色素から成る。一般に人はストレス下にあるとき（不健康状態）には交感神経系が有利となって皮膚血管が収縮して血流量が低下すると言われ、逆にリラックスしているとき（健康状態）には副交感神経系が有利となって皮膚血管が拡大して血流量が増加すると言われている。血流量が変化すると、それに伴って血液中のヘモグロビン色素量も変化し、さらに皮膚の赤みの度合いも変化する。殊に、顔の鼻部では動静脈吻合（AVA）血管が多く分布しており、AVA血管の血流は通常の皮膚の血流量と比較して著しく多量であり、自立神経系の影響を受けてオン・オフ的な挙動を示す特徴が知られており、一方で額部は自立神経系の影響による血流量の変化がほとんどないという特徴が知られている。
【００２３】
分析部７では、撮影した使用者の顔画像に、独立成分分析（Independent Component Analysis : ICA）を適用して、ヘモグロビン色素成分とメラニン色素成分に分離する処理が行われる。本例では、顔画像の鼻部領域と顔画像の額部領域において上記処理が行われ、額部領域のヘモグロビン色素成分量を基準にして鼻部領域のヘモグロビン量を比較分析することで、交感神経系活性度、すなわち健康度を分析結果として得るようにしている。この分析結果は、制御部５によって分析結果通知手段１３にて使用者に通知することができ、また制御部５によって分析記憶部１０に記憶することができる。
【００２４】
判定部８では、分析部７による分析結果を定量化判定する。具体的には、分析結果の健康度の数値を数段階（たとえば「調子良好」、「ふつう」、「調子悪い」の３段階）に仕分けることで判定して、判定結果を得るようにしている。この判定結果は、制御部５によって判定結果通知手段１４にて使用者に通知することができ、また制御部５によって判定記憶部１１に記憶することができる。
【００２５】
上記のように本例の健康管理システムは、ミラー部１を覗き込むという使用者の自然な動作の際に、使用者の顔を撮影手段２ａにて確実に撮影することができるから、撮影箇所にかかる誤差の少ない撮影結果を得ることができ、この誤差の少ない撮影結果に基づいて分析部７にて分析してその分析結果を分析結果通知手段１３で使用者に通知でき、信頼性の高い分析結果を基に使用者に健康増進を促すようにできる。ここで、ミラー部１は、朝の外出の準備などで覗き込む化粧台又は洗面台２０に備わるミラー２１にて構成させたので、普段の生活習慣の中で定期的な健康チェックをできて健康増進を図ることができる。更に、分析結果通知手段１３を構成する通知手段６は洗面台２０や化粧台のミラー部１に備えられているので、使用者は洗面台２０の前に立ってミラー部１を見るという動作によって、分析結果を認知することができて便利である。また、本例では、分析部７による分析結果を使用者に通知することに加えて、判定部８にて上記分析結果を定量化判定した判定結果も使用者に通知させるようにしたので、分析部７による分析結果を判定部８による定量化判定にて分かり易いかたちにして使用者に通知することができ、更なる健康増進を図ることができる。
【００２６】
更に本例の健康管理システムでは、制御部５の制御によって、各記憶部９に記憶した記憶情報を駆使して通知手段６にて使用者に通知させることで、使用者の更なる健康増進を図る工夫を施すことができる。
【００２７】
たとえば、制御部５に、分析結果記憶部９に記憶蓄積された過去の分析結果の平均値を割り出す分析結果平均算出部（図示せず）を設け、分析結果通知手段１３にて現時点の分析結果に加えて過去平均の分析結果を併せて使用者に通知させることが好ましい。これによると、現時点の健康度と日々の健康度とを比較できると共に健康チェックへの継続意欲を促し、健康増進を図ることができる。
【００２８】
また、現健康測定の際の判定部８による判定結果が「調子悪い」などの低評価な場合に、制御部５によって、判定記憶部１１に記憶された「調子良好」などの高評価時に対応して撮像記憶部１２ａに記憶された撮影結果を、撮像表示手段１５にて使用者に表示させることも好ましい。これによると、判定部８による低評価な判定結果が判定結果通知手段１４にて使用者に通知されて使用者が意気阻喪した際に、制御部５によって判定記憶部１１に記憶された高評価時における撮像記憶部１２ａに記憶された撮影結果を撮像表示手段１５に表示させることで、使用者を叱咤激励できて健康チェックへの継続意欲を促し、健康増進を図ることができるのである。
【００２９】
また、上記健康管理システムは図３のような情報システムに組み込むことができる。図３の情報システムは、個人の住宅Ｘにおいてイーサネット（登録商標）によりＬＡＮ２０１が構築され、当該ＬＡＮ２０１が住宅盤５３内に収納された情報ブレーカと呼ばれるセキュリティ機器５３ａを介してＷＡＮを構成するインターネット２０２に接続されている。
【００３０】
ここで、住宅盤５３は、主幹開閉器および分岐開閉器を内蔵して、宅内の分岐回路に電力を供給するとともに、宅内のＬＡＮ２０１に接続されるセキュリティ機器５３ａが図示しないルータを介してインターネット２０２に接続されている。このセキュリティ機器５３ａは、宅内の機器に対する不正アクセスと思われるパケットを自動破棄する機能などを備えている。
【００３１】
一方、健康管理システムを運用する事業者Ｙ側には、使用者に自宅で健康管理を行わせるという健康管理サービスを提供するためのセンターサーバ１０１が設置されている。ここにおいて、事業者Ｙ側のセンターサーバ１０１と、インターネット２０２と、事業者Ｙが提供する健康管理サービスを利用する住宅Ｘ内のＬＡＮ２０１と、住宅Ｘ内に設置された洗面台２０や化粧台などで本システムが構成される。
【００３２】
ここで、センターサーバ１０１には制御部５が設けられており、図１で示す健康管理システムにおける制御部５以外の構成が備えられた洗面台２０とは、ＬＡＮ２０１、インターネット２０２のネットワークを介して通信行われる。洗面台２０は建物に配設されるものであり、敷設したＬＡＮケーブル２０３を通じて直接ＬＡＮ２０１やインターネット２０２のネットワークに接続することもできるが、本例ではネットアダプタ５４を介してＬＡＮ２０１やインターネット２０２への接続を行っている。つまり、ネットアダプタ５４は、ＬＡＮケーブル２０３を介してセキュリティ機器５３ａに接続されるとともに、Bluetoothまたは特定小電力無線を利用して洗面台２０に設けた送受信部との間で無線電波によって通信を行うものである。
【００３３】
ネットアダプタ５４の通信可能エリア内に存在する洗面台２０から、送信元および送信先のＩＤを含む無線電波が送信され、この無線電波をネットアダプタ５４が受信すると、無線電波により送信された信号のプロトコル変換を行い、送信先のＩＤが示すネットワーク機器（センターサーバ１０１など）へ信号を送信する。また、ネットワーク機器（センターサーバ１０１など）から送信先として洗面台２０が設定された信号が送信されると、ネットアダプタ５４が送信された信号のプロトコル変換を行って無線電波に変換し、送信先の洗面台２０へ無線電波を送信する。このように、Bluetoothまたは特定小電力無線を利用することにより、ネットアダプタ５４と洗面台２０との通信において、指向性が広がるとともに通信経路に障害物があっても通信可能となり、通信範囲が拡大される。また、洗面台２０を配設する建物の箇所にまで新たにＬＡＮ２０１を敷設する施工を無くすることができる利点を有する。
【００３４】
このように本実施形態では、内装スペースが限られる洗面台２０に制御部５を配設せずに、ネットワーク上のセンターサーバ１０１に制御部５を配置したので、洗面台２０の大型化を回避できると共に制御部５における制御プログラムの変更（制御回路基板の変更）などのメンテナンスを一括して容易に行えるという利点をする。
【００３５】
なお、本例のＬＡＮ２０１には洗面台２０に隣接して配設した表示装置５２も接続されている。この表示装置５２はネットワーク接続機能を備えたテレビジョン装置からなり、上記通知手段６を構成することができる。すなわち、通知手段６を構成する上記表示部２２は、ミラー部１内の領域に配設するという設置スペースに制限が課せられていて比較的小型なものになりがちであるが、ミラー部１内の領域に配設する設置条件に捉われない上記表示装置５２は比較的大型にすることができ、通知手段６での通知内容を大きく表示して使用者に対して見易くできる、といった利点も有する。
【００３６】
また、図示はしないが、事業者Ｙ側のシステムには、センターサーバ１０１の他に、アドバイス配信用サーバを設けることも好ましい。このアドバイス配信用サーバは、分析部７の分析結果や判定部８の判定結果に応じて、通知手段６を介して使用者に健康管理のためのアドバイスなどを通知させるものであり、健康管理システムの付加価値を高めることができる。
【図面の簡単な説明】
【００３７】
【図１】本発明の実施の形態の例の健康管理システムの制御ブロック図である。
【図２】同上の健康管理システムを備えた洗面台の斜視図である。
【図３】本発明の実施の形態の他例の健康管理システムの概略構成図である。
【符号の説明】
【００３８】
１  ミラー部
２  顔画像情報取得手段
２ａ  撮影手段
３  人体検知センサ
４  照明手段
５  制御部
６  通知手段
７  分析部
８  判定部
９  記憶部
１０  分析記憶部
１１  判定記憶部
１２  取得情報記憶部
１２ａ  撮像記憶部
１３  分析結果通知手段
１４  判定結果通知手段
１５  顔画像表示手段
１５ａ  撮像表示手段
２０  洗面台
２１  ミラー
２２  表示部
【図１】
0005204477.tif 000002
【図２】
0005204477.tif 000003
【図３】
0005204477.tif 000004